(57)【要約】【課題】            空気吹出し口から風速を抑えた均一な温風を吹出すことのできる温風暖房機の送風経路の構造に関する。【解決手段】        枠体１内に枠体前面の空気吹出し口７と枠体背面の空気吸込み口６とを連続する送風経路８を設け、バーナ２上部に設けた燃焼室５を送風経路８内に開口する。空気吹出し口７は空気吸込み口６より大きな面積とし、空気吹出し口７の上端位置を空気吸込み口６の上端位置より高くし、送風経路８内の空気吸込み口６の上端より低い位置に前方部１２ａを上方に傾斜した遮熱天板１２を設ける。対流用送風機９の風は遮熱天板１２で上下に分流し、下方に流れる空気は燃焼室５と熱交換して下方のルーバ１０から吹出し、上方に流れる空気は燃焼室５から排出されて遮熱天板１２の前縁１２ｂとルーバ１０との間の空間１３を上方に流れる燃焼ガスと混合し、広い面積の空気吹出し口７に向けて分散して、風速を抑えた均一な温風となってルーバ１０から吹出す。【選択図】          図１
2006153387.tif 000002
【特許請求の範囲】
【請求項１】
枠体１内にはバーナ２と、該バーナ２ヘ燃焼用空気を送る燃焼用送風機３と、該バーナ２ヘ燃料を送るポンプ４と、該バーナ２の上部に位置する燃焼室５とを設け、
前記枠体１内には枠体背面の空気吸込み口６と枠体前面の空気吹出し口７とを連続する送風経路８を設け、
前記燃焼室５は送風経路８内に開口しており、該送風経路８の空気吸込み口６には対流用送風機９を備え、該送風経路８の空気吹出し口７にはルーバ１０を配置した温風暖房機において、
前記送風経路８の空気吹出し口７は空気吸込み口６よりも大きな面積であって、該空気吹出し口７の上端の位置を空気吸込み口６の上端の位置よりも高い位置となるように形成し、
前記燃焼室５の上面から一定の間隔１１を備え、かつ、送風経路８の空気吸込み口６の上端よりも低い位置に遮熱天板１２を配置し、
該遮熱天板１２の前方部１２ａはその前縁１２ｂと前記ルーバ１０との間に空間１３を設けつつ、前方部１２ａを傾斜してその前縁１２ｂを上方のルーバ１０に向けたことを特徴とする風速を抑えた温風暖房機。
【請求項２】
前記遮熱天板１２は前記送風経路８の空気吸込み口６側の後方部１２ｃに、送風用の空気を下方と上方に分流させる邪魔板１４を設け、
前記対流用送風機９の風は該邪魔板１４によって遮られて遮熱天板１２から離れた上下方向に風を送り、
前記燃焼室５の開口から遮熱天板１２の下方に沿って前記空間１３から上方に向かう燃焼ガスは、ルーバ１０の送風流路８側へ拡散した後、空気吹出し口７から吹出すことを特徴とする請求項１記載の風速を抑えた温風暖房機。
【発明の詳細な説明】
【技術分野】
【０００１】
この発明は温風暖房機の送風経路の構造に関するものである。
【背景技術】
【０００２】
従来、燃焼排気を室内に排出する方式の温風暖房機は、枠体内にバーナと、このバーナに燃焼空気を送る燃焼用送風機と、このバーナに燃料を供給するポンプとを設け、該ポンプからの燃料の供給量と、燃焼用送風機によって送られる燃焼用空気量とを変化させる事によってバーナの燃焼量を変化させている。
【０００３】
また、枠体内には枠体の前後を貫通する送風経路を備え、この送風経路には空気吸込み口側に対流用送風機、空気吹出し口側に風向を均一にする為のルーバを設け、前記バーナの上部に設けた燃焼室は送風経路内に開口することにより送風経路を通過する空気を温風に変えて枠体前面の空気吹出し口から吹出すものである。
【０００４】
また、この送風経路内において、燃焼室の上部に一定の間隔を介しながら、送風経路の空気吸込み口の上端位置よりも低い位置に空気誘導板を配置し、この空気誘導板の前縁は下方に傾斜させて低い位置に形成した空気吹出し口に向けられており、前記空気吸込み口から送風経路に送られる空気は空気誘導板によって上下２分割している。
【０００５】
そして、空気誘導板の下方へ流れる空気は燃焼室から排出される燃焼ガスと混合して高温の空気となって低い位置に形成した空気吹出し口から吹出し、この空気誘導板の下方から空気吹出し口へ向けて流れる高温の空気の上方には、空気誘導板と送風経路の天板との間隙から送られる室内空気を低い位置に形成した空気吹出し口の上部に誘導し、送風経路の天板や空気吹出し口の周辺の温度上昇を抑制する構成とし、また、空気吹出し口から吹出す温風の上昇を抑えながら空気吹出し口の前方へ温風を届かせている（特許文献１参照）。
【特許文献１】特開２００３−３３６９０８号公報
【発明の開示】
【発明が解決しようとする課題】
【０００６】
このような温風暖房機は温風の空気流によって室内空気を攪拌して室内温度の均一化を狙っており、空気吹出し口から吹出す温風を遠くまで届かせるために、空気吸込み口よりも空気吹出し口の面積を小さくして、風速を上げて攪拌効果を上げている。しかし、温風暖房機の正面にいて風速の大きな温風が体に当たると不快感を持つ人が多く、改善すべき課題がある。
【０００７】
そして、このように空気吹出し口から吹出す風速を大きくする構成は、比較的大きな部屋を低出力の温風暖房機で暖房するときに有効であるが、このような広い部屋では人は暖房機から離れて位置するときが多いから、使用者の体に温風が当たる機会は少なく、結局、温風が体に当たる時の不快感は、狭い部屋での使用法に関係があることがわかった。また、温風暖房機は床面に近い空気を対流用送風機で枠体内の熱交換部を通過させることで高温にしているので、狭い部屋では床面に近い低温度の室内空気を大風量で枠体内に取入れることさえできれば、空気吹出し口から吹出す風速に関係なく、効率よくお部屋の暖房ができる点を見出したものである。
【課題を解決するための手段】
【０００８】
この発明は、大風量の空気を枠体内に取入れても、温風が使用者の体に当たる不快感を持たせないようにするもので、枠体１内にはバーナ２と、該バーナ２ヘ燃焼用空気を送る燃焼用送風機３と、該バーナ２ヘ燃料を送るポンプ４と、該バーナ２の上部に位置する燃焼室５とを設け、前記枠体１内には枠体背面の空気吸込み口６と枠体前面の空気吹出し口７とを連続する送風経路８を設け、前記燃焼室５は送風経路８内に開口しており、該送風経路８の空気吸込み口６には対流用送風機９を備え、該送風経路８の空気吹出し口７にはルーバ１０を配置した温風暖房機において、前記送風経路８の空気吹出し口７は空気吸込み口６よりも大きな面積であって、該空気吹出し口７の上端の位置を空気吸込み口６の上端の位置よりも高い位置となるように形成し、前記燃焼室５の上面から一定の間隔１１を備え、かつ、送風経路８の空気吸込み口６の上端よりも低い位置に遮熱天板１２を配置し、該遮熱天板１２の前方部１２ａはその前縁１２ｂと前記ルーバ１０との間に空間１３を設けつつ、前方部１２ａを傾斜してその前縁１２ｂを上方のルーバ１０に向けたことを特徴とする。
【０００９】
また、前記遮熱天板１２は前記送風経路８の空気吸込み口６側の後方部１２ｃに、送風用の空気を下方と上方に分流させる邪魔板１４を設け、前記対流用送風機９の風は該邪魔板１４によって遮られて遮熱天板１２から離れた上下方向に風を送り、前記燃焼室５の開口から遮熱天板１２の下方に沿って前記空間１３から上方に向かう燃焼ガスは、ルーバ１０の送風流路８側へ拡散した後、空気吹出し口７から吹出しており、温風の温度が均一化できた。
【発明の効果】
【００１０】
温風暖房機の枠体１の前面には背面の空気吸込み口６より大きな面積の空気吹出し口７を設け、送風経路８内の遮熱天板１２の前方部１２ａは空気吹出し口７のルーバ１０との間に空間１３を設けつつ、その前縁１２ｂを傾斜して上方に向けたから、送風経路８内の遮熱天板１２によって分流して下方に流れる空気は、燃焼室５との間で熱交換して下方のルーバ１０から吹出し、前記遮熱天板１２によって分流して上方に流れる空気は、広い面積の空気吹出し口７に向けて分散して風速を減衰しながら均一な風となって中央部と上方のルーバ１０から吹出している。
【００１１】
この時、遮熱天板１２の下側に流出した高温の燃焼ガスは、遮熱天板１２の下方から前方部１２ａに誘導されて、ルーバ１０との間の空間１３を上方に流れ、前記遮熱天板１２の上方を流れる対流用送風機９の風と、前記空間１３を上方に流れる燃焼ガスとが混合する。そして、この混合によって得られた温風は前記空気吹出し口７の面積が広いから分散して風速が抑えられ、また、温度も平均化した均一な温風となってルーバ１０から吹出しており、使用者に不快感を与えるようなことはなくなった。
【００１２】
また、実施例の遮熱天板１２は送風経路８の空気吸込み口６側の後方部に邪魔板１４を設けており、前記対流用送風機９の風はこの邪魔板１４にぶつかって上下方向に方向付けられる。このため、邪魔板１４に遮られて送風経路８の下方に多量に流れて燃焼室５付近を集中して流れて燃焼室５壁との熱交換を促進しており、また、燃焼室５から遮熱天板１２の下側に向かう燃焼ガスの流れは、対流用送風機９の風によって乱されずに遮熱天板１２の傾斜した前方部１２ａに沿って空間１３を上方に流れ、更に、邪魔板１４に遮られて送風経路８の上方に流れる対流送風機９の風は、遮熱天板１２の前方部１２ａの端部から離れた上方に向かうので、空間１３を上方に流れる燃焼ガスはルーバ１０の送風経路８側に拡散しやすくなり、前記空気吹出し口７のルーバ１０から吹出す温風の温度の均一化に寄与することとなった。
【発明を実施するための最良の形態】
【００１３】
図に示す実施例において、１は温風暖房機の枠体、２は枠体１内に設置した気化部を構成するバーナ、３はバーナ２へ燃焼空気を供給する燃焼用送風機、１５は枠体１内に装着するカートリッジタンク、１６はカートリッジタンク１５から燃料が供給される油受け皿、４は油受け皿１６の上に取り付けて燃料をバーナ２に供給するポンプ、５はバーナ２の上方に位置し気化した燃料が完全燃焼できる燃焼室である。
【００１４】
前記バーナ２は燃料の気化だけを行うものだけでなく、気化した燃料の一部が燃焼できるポット式石油燃焼機であり、１７は側壁に多数の空気孔が開けられて燃料の気化と一部の燃焼ができるポット、１７ａはポット１７内に設置した助燃部材、１８はポット１７内に発熱部を位置させた予熱兼用ヒータであり、前記ポンプ４から供給される燃料はバーナ２を構成するポット１７に送られ、予熱兼用ヒータ１８によって高温となっているポット１７内で気化した燃料は、この予熱兼用ヒータ１８によって着火する。そして、前記燃焼用送風機３によってバーナ２へ送られた燃焼空気はポット１７側壁の空気孔からポット１７内に供給され、気化して着火した燃料ガスは、燃焼用送風機３から送られる空気を受けて一部燃焼をしながら混合し、バーナ２の上部の燃焼室５内で完全燃焼をするものである。
【００１５】
８は前記枠体１内の背面から前面にかけて前後を貫通するように配置した送風経路、６は前記送風経路８につながる枠体１の背面に設けた空気吸込み口、７は前記送風経路８の出口を構成する枠体１の前面に設けた空気吹出し口、９は送風経路８の空気吸込み口６側の枠体１の背面に設けた対流用送風機、１０は送風経路８の空気吹出し口７側に配置して風の流れと方向を均一にするルーバであり、前記燃焼室５は送風経路８内に開口して、この燃焼室５から排出される高温の燃焼ガスは送風経路８内に送られる。また、空気吸込み口６から前記対流用送風機９により送風経路８に取り込んだ室内空気は、燃焼室５から排出される燃焼ガスと混合して高温の空気となり、前記空気吹出し口７のルーバ１０を通って枠体１の前方に吹出している。
【００１６】
１２は送風経路８内に設けた遮熱天板、１１は送風経路８内の燃焼室５の上部と前記遮熱天板１２との間に形成した間隔であり、前記対流用送風機９より送風経路８内に取り込んだ室内空気は遮熱天板１２によって上下に分流し、前記遮熱天板１２の下方へ流れる空気は燃焼室５から排出される燃焼ガスと混合し高温の空気となって空気吹出し口７から吹出し、また、遮熱天板１２の上方へ流れる空気は、送風経路８の天板と遮熱天板１２との間に誘導され、空気吹出し口７から吹出している。
【００１７】
図に示す実施例の温風暖房機において、８ａは送風経路８の上部を構成する空気吹出し口７側が高い位置をなす傾斜天板であり、この傾斜天板８ａによって送風経路８の空気吹出し口７は空気吸込み口６よりも大きな面積とすることができ、温風暖房機の枠体１の前面の大きな面積をしめる空気吹出し口７の全体にルーバ１０が配置されている。また、この傾斜天板８ａによって前記空気吹出し口７の上端の位置は温風暖房機の枠体１の背面の空気吸込み口６の上端よりも高い位置となっている。
【００１８】
また、対流用送風機９の風を上下に分流する前記遮熱天板１２は枠体１の背面の空気吸込み口６の上端よりも低い位置となるように送風経路８に取り付けられており、１２ａは遮熱天板１２のルーバ１０側の部分で構成する前方部であり、この前方部１２ａはほぼ水平状態の遮熱天板１２に対して斜め上方に向くように傾斜している。１２ｂは遮熱天板１２の前方部１２ａの前縁、１３はこの遮熱天板１２の前縁１２ｂとルーバ１０との間に形成した空間であり、前記ルーバ１０はその前縁を下方に向けて後縁を上方に向けている。
【００１９】
したがって、遮熱天板１２により分流されて遮熱天板１２の下方に向かう空気は、送風経路８の下方に位置する燃焼室５に向けられており、この燃焼室５は空気の流れの妨げになって通過風量を少なくすると共に、この燃焼室５の壁面との間で熱交換を行い、対流用送風機９の風は温風となって下部の空気吹出し口７のルーバ１０の間から前方に吹出すことができる。
【００２０】
また、燃焼室５から遮熱天板８の下面に送られた燃焼ガスは間隔１１へ流れる対流用送風機の風に誘導されて、前方部１２ａの下面に沿って斜め上方に誘導されると共に、高温となって上昇する燃焼ガスは空気吹出し口７のルーバ１０が下向きに備え付けられているから、ルーバ１０との間の空間１３を経て遮熱天板１２よりも上方に流れ、かつ、空気吹出し口７に位置する傾斜したルーバ１０によってすぐには枠体１の前方へ抜け出ることがない。
【００２１】
また、遮熱天板１２により分流されて遮熱天板１２の上方に向かう空気は、対流用送風機９側の遮熱天板１２と送風経路８の傾斜天板８ａとの間隔が狭いから、広くなった前方の空気吹出し口７側の風速が非常に弱くなっており、また、前記空間１３から遮熱天板１２の上方へ誘導された高温の燃焼ガスは、送風経路８内に拡散して遮熱天板１２の上方へ分流した対流用送風機９の空気と混合し、やがて、均一な温度で均一な空気の流れとなって、上部の空気吹出し口７のルーバ１０から吹出して枠体１の前方に向かうことになり、該ルーバ１０の全体から風速を抑えた均一な温風を出すことができた。
【００２２】
１２ｃは前記遮熱天板１２の後部で空気吸込み口６側の端を含む後方部、１４は遮熱天板１２の前記後方部１２ｃに配置した邪魔板であり、前記邪魔板１４は対流用送風機９と対向して送風用の空気を遮熱天板１２だけのときよりも正確に下方と上方に分流させることができる。
【００２３】
この邪魔板１４が遮熱天板１２よりも下方に配置されているときには、遮熱天板１２によって分流されて下方に流れる対流用送風機９の風は、送風経路８の下方に位置する燃焼室５の側壁に向かう風が多くなり、また、遮熱天板１２と燃焼室５との間隔１１には対流用送風機９の風が直接向かうことができず、邪魔板１４を迂回して前記間隔１１に至るから、燃焼室５から遮熱天板１２の下面へ流れて遮熱天板１２の前方部１２ａの先の空間１３を経て上方に向う燃焼ガスに対して、対流用送風機９の風の影響が少なくなり、高温の燃焼ガスが直接ルーバ１０の間から室内に送られることは少なくなった。
【００２４】
また、この邪魔板１４が遮熱天板１２よりも上方に配置されているときには、遮熱天板１２によって分流されて上方に流れる対流用送風機９の風は、送風経路８の傾斜天板８ａの下面にそって流れる風量が多くなり、遮熱天板１２の前方部１２ａの先の空間１３を経て遮熱天板１２の上方へ流れる高温の燃焼ガスの拡散状態が良くなり、対流用送風機９の風は高温の燃焼ガスと混合して高温風となり、やがて、均一な温度で均一な空気の流れとなってルーバ１０の全体から風速を抑えた均一な温風を出すことができた。
【００２５】
一方、実施例の遮熱天板１２は送風経路８の側壁に取り付けられており、遮熱天板１２によって送風経路８を下部と上部に分割している。このため、対流送風機９の正面に近い送風経路８の下部に送られた風が前方の空間１３以外からは遮熱天板１２の上方に流れなくなり、燃焼室５から排出された燃焼ガスは遮熱天板１２の上部の送風経路８に拡散しやすくなり、空気吹出し口７の中央から上部のルーバ１０から吹出す温風の温度が安定するようになった。
【００２６】
また、遮熱天板１２の上面に沿って流れる対流用送風機９の風は、遮熱天板１２の先で上方に向けられて前面部１２ａに沿って上方に向かい、燃焼ガスと混合するものの、前縁１２ｂとルーバ１０との間の空間１３が狭いときには、燃焼ガスが充分拡散しない間にルーバ１０から吹出すことがあった。図に示す実施例では遮熱天板１２の後方部１２ｃから上方に向けて配置した邪魔板１４の上端位置を遮熱天板１２の前縁１２ｂの高さ程度かそれよりも高くなるように設定したから、対流用送風機９の風は邪魔板１４によって上方に向くようになり、遮熱天板１２の前縁１２ｂに対流用送風機９の風が直接吹き付けて、高温の燃焼ガスが拡散せずにルーバ１０から吹出し、空気吹出し口７から吹出す温風温度のばらつきを大きくするようなことは防止できた。
【００２７】
また、遮熱天板１２の後方部１２ｃから下方に向けて配置した邪魔板１４は、燃焼室５の後方に届く長さで、燃焼室５の後方部に沿わせて湾曲させ、邪魔板１４の横幅は燃焼室５よりもやや大きくして、空気流路８の側壁付近に風の流路を形成すれば、対流用送風機９の風は燃焼室５だけでなく邪魔板１４にも遮られるから、空気吹出し口７の下部から吹出す対流用送風機９の風量を抑制することができ、空気吹出し口７の全体から吹出す風量が均一になった。
【００２８】
このようにこの発明の温風暖房機は枠体１の背面から大量の室内空気を送風経路８に送り込みながら、枠体１の前面の空気吹出し口７から吹出す温風の流速は非常に遅くなり緩やかな温風が吹出すようになった。このため、従来の温風暖房機では高速の温風が枠体１の前方に吹出して、風が当たる取扱者に不快感をあたえていたが、この発明ではこのような不快感が解消できるとともに、室内の床面に近いところの低温空気を取り入れて、温風に変えているから室内の暖房効果は損なうことはない。
【図面の簡単な説明】
【００２９】
【図１】この発明の実施例を示す石油燃焼機の側面を表す断面図である。
【図２】この発明の実施例を示す石油燃焼機の正面を表す断面図である。
【符号の説明】
【００３０】
１    枠体
２    バーナ
３    燃焼用送風機
４    ポンプ
５    燃焼室
６    空気吸込み口
７    空気吹出し口
８    送風経路
９    対流用送風機
１０    ルーバ
１１    間隔
１２    遮熱天板
１２ａ  前方部
１２ｂ  前縁
１２ｃ  後方部
１３    空間
１４    邪魔板
【図１】
2006153387.tif 000003
【図２】
2006153387.tif 000004